(57)【特許請求の範囲】
【請求項１】
基板上に略四角形ブロック状のカメラモジュール本体を取り付けたカメラモジュールと、該カメラモジュールを組み込むための一端が開放された中空部を有する枡状のコネクタであって、該コネクタは前記中空部の内面に前記基板側の接触子と電気接触する接触子を設け、更に、該コネクタにはバネフックが設けられ、該バネフックにて該コネクタに組み込まれたカメラモジュールの前記基板を押圧して係止するように構成されて成るカメラモジュール用コネクタロック装置において、  前記カメラモジュール本体の対向する一対の側面コーナー部近傍に該カメラモジュール本体の下面から上面に至るまで、連続して形成した切欠部が設けられており、 一方、前記コネクタ本体のコーナー部近傍には前記カメラモジュール側に設けた切欠部と対応して、コネクタの外周面を被覆しているシールドケースから延設されたバネフックが該コネクタ本体の上端部から前記中空部下方へ向かって斜設されており、該バネフックはカメラモジュールがコネクタに組み込まれるとき、前記基板のコーナー部を延設して設けられた係合部に当接し、弾性変形して外側に逃がされ、更に、該カメラモジュールを押し込むことにより、該バネフックが前記係合部上面に自己復帰して係合するように構成され、 更に、前記コネクタの一側上面に係合凹部を設け、該係合凹部に嵌合してカメラモジュールをコネクタに位置決めして固定するための位置決め用突部を該カメラモジュール側に設けたことを特徴とするカメラモジュール用コネクタロック装置。
【発明の詳細な説明】
【技術分野】
【０００１】
本発明は、カメラモジュール用コネクタロック装置に関するものであり、特に、カメラモジュールをコネクタに組み込み、且つ、カメラモジュールをコネクタにロックするためのカメラモジュール用コネクタロック装置に関するものである。
【背景技術】
【０００２】
図４及び図５は従来のモジュール用コネクタロック構造を用いたモジュール装置の一例を示すもので、図４はそのモジュール装置の概略正面縦断面図、図５はそのモジュール装置の分解図である。図４及び図５において、モジュール装置１００は、モジュール１０１と、該モジュール１０１を機器に取り付けるコネクタ１０２とで構成されている。
【０００３】
前記モジュール１０１は、携帯電話等に実装するカメラモジュールである。該モジュール１０１は、概略四角形のブロック状に形成されているモジュール本体１０３と、該モジュール本体１０３の上部に設けられたレンズ部１０４とで構成されている。又、モジュール本体１０３のコーナ部近傍には、モジュール本体１０３の途中から上面までを連続して切り欠くことによって形成されている係合部１０７，１０７…が設けられている。更に、モジュール本体１０３の底面には、基板１０５が接着剤１０６で取り付けられ、該基板１０５の側面に接触子となる複数の接触パッド（図示せず）がそれぞれ鉛直方向に形成されている。
【０００４】
前記コネクタ１０２は、モジュール１０１を組み込むための、一端が開放されている桝状をした中空部１０９を有するコネクタ本体１１０と、中空部１０９の内面に基板１０５の接触パッドとの電気接触を図るための接触子片（図示せず）を設けていると共に、モジュール１０１の係合部１０７，１０７…に対応させてバネフック１０８，１０８…が設けられている。該バネフック１０８，１０８…は、コネクタ本体１１０の外周面を覆って該コネクタ本体１１０に取り付けられているシールドケース１１１から中空部１０９内に延ばされており、中空部１０９内に延ばされた自由先端側はコネクタ本体１１０の底部１０２ａに近づくに従って徐々に中空部１０９の中心に近づくようにして傾斜し、中心側に向かって突出されている。尚、そのバネフック１０８，１０８…の各自由先端１０８ａ，１０８ａ…は、中空部１０９内にモジュール１０１が所定の位置まで挿入されると、係合部１０７，１０７…、すなわち基板１０５の上面に係合されて、モジュール１０１を抜け止めできるように成っている。
【０００５】
そして、モジュール１０１をコネクタ１０２に取り付ける場合は、図５に示すように、モジュール１０１をコネクタ１０２の上側から中空部１０９内に落とし込むようにして組み込む。その組み込み途中では、基板１０５の下面がバネフック１０８，１０８に当接する。しかしながら、そのままモジュール１０１を押し込むと、バネフック１０８，１０８は弾性変形を伴って外側に逃がされ、モジュール１０１の押し込みを許容する。又、基板１０５の下面が中空部１０９内の底部１０２ａに当接し、接触パッドと接触子片とが接触（当接）された状態となる所定位置まで押し込まれると、バネフック１０８，１０８…が自身の弾性力で係合部１０７内に復帰され、バネフック１０８，１０８…の各先端１０８ａが係合部１０７の係止面１０７ａに係合される。この係合により、コネクタ１０２に対してのモジュール１０１の抜け止めが行われ、モジュール１０１がコネクタ１０２にロックされる。図４は、このロック状態を示す。
【０００６】
尚、この種のモジュール用コネクタロック装置としては、図４及び図５に示す構造以外にも、例えば特許文献１でも見ることができる。
【特許文献１】特開２００４−６３４２５号公報
【発明の開示】
【発明が解決しようとする課題】
【０００７】
しかしながら、上述したように従来のロック装置では、係合部１０７をモジュール本体１０３に設け、該係合部１０７にバネフック１０８を係合させてモジュール１０１をコネクタ１０２にロックさせる構造になっている。この種のロック構造では、製品によっては、ロック時における基板１０５の接触パッドとコネクタ１０２側の接触子片との接触状態にバラツキが生じ、製品精度が安定しないという問題があった。その製品精度が安定しない原因の一つとしては、次のことが考えられる。
【０００８】
すなわち、この固定構造では、モジュール本体１０３を介して基板１０５の接触パッドをコネクタ１０２側の接触子片に接触させるようにしている。しかしながら、モジュール本体１０３の下面と基板１０５との間には接着剤１０６が塗布され、この接着剤１０６でモジュール本体１０３の下面に基板１０５を固定している。このため、接着剤の塗布量の差や、モジュール本体１０３に対する基板１０５の傾き具合等によっては、ロック接触位置寸法にバラツキ等が生じ、これらが製品精度のバラツキを生じさせている。
【０００９】
そこで、ロック時における基板の接触子とコネクタ側の接触子との接触位置寸法のバラツキを無くし、製品精度の安定した構造が得られるようにするために解決すべき技術的課題が生じてくるのであり、本発明はこの課題を解決することを目的とする。
【課題を解決するための手段】
【００１０】
本発明は上記目的を達成するために提案されたものであり、基板上に略四角形ブロック状のカメラモジュール本体を取り付けたカメラモジュールと、該カメラモジュールを組み込むための一端が開放された中空部を有する枡状のコネクタであって、該コネクタは前記中空部の内面に前記基板側の接触子と電気接触する接触子を設け、更に、該コネクタにはバネフックが設けられ、該バネフックにて該コネクタに組み込まれたカメラモジュールの前記基板を押圧して係止するように構成されて成るカメラモジュール用コネクタロック装置において、前記カメラモジュール本体の対向する一対の側面コーナー部近傍に該カメラモジュール本体の下面から上面に至るまで、連続して形成した切欠部が設けられており、一方、前記コネクタ本体のコーナー部近傍には前記カメラモジュール側に設けた切欠部と対応して、コネクタの外周面を被覆しているシールドケースから延設されたバネフックが該コネクタ本体の上端部から前記中空部下方へ向かって斜設されており、該バネフックはカメラモジュールがコネクタに組み込まれるとき、前記基板のコーナー部を延設して設けられた係合部に当接し、弾性変形して外側に逃がされ、更に、該カメラモジュールを押し込むことにより、該バネフックが前記係合部上面に自己復帰して係合するように構成され、更に、前記コネクタの一側上面に係合凹部を設け、該該係合凹部に嵌合してカメラモジュールをコネクタに位置決めして固定するための位置決め用突部を該カメラモジュール側に設けたカメラモジュール用コネクタロック装置を提供するものである。
【００１１】
この構成によれば、カメラモジュールがコネクタに組み込まれるとき、コネクタ本体の上端部のコーナ部近傍から該コネクタの中空部下方へ向かって斜設されているバネフックが、カメラモジュールの下端面に取り付けられている基板のコーナ部から外方へ向かって延設されて成る係合部に当接して外側に逃がされ、更に、該カメラモジュールを押し込むことにより、該バネフックが前記係合部の押圧から解除され、弾性復帰して該係合部を押圧し、そして、該バネフックが前記切欠部内にて基板上面にじかに係合する。
【００１２】
而して、位置決め用突部はカメラモジュールがコネクタの中空部内に組み込まれるとき、その組み込み動作に連動して係合凹部内に係合され、カメラモジュールがコネクタ本体に対して水平方向へ移動するのを規制する。
【００１３】
又、一旦カメラモジュールの組み込みが完了した状態において、コネクタからカメラモジュールを取り外す場合は、前記係合凹部から例えばピンを挿入し、バネフックを係合部上の外側に逃がした状態でカメラモジュールを上側へ引き抜くことにより、該カメラモジュールはコネクタから簡単に取り外される。
【発明の効果】
【００１４】
本発明のカメラモジュール用コネクタロック装置は、モジュール本体の下端面に取り付けられている基板をコネクタのコーナ部に設けられているバネフックにてじかに押圧し、この押圧動作によって該基板をコネクタに対して位置決めするので、モジュール本体と基板との間に製造誤差があってもその製造誤差は無視され、コネクタに対する接触位置のバラツキを無くし製品精度の安定化を図ることができる。又、モジュール本体と基板との間の寸法誤差を厳しく要求されることがなくなるので、製造も簡単になる。
【発明を実施するための最良の形態】
【００１５】
本発明は、カメラモジュール用コネクタロック装置において、ロック時におけるモジュール本体に取り付けられている基板とコネクタ側の接触子との接触状態のバラツキを無くし、製品精度の安定した構造が得られるようにするという目的を達成するために基板上に略四角形ブロック状のカメラモジュール本体を取り付けたカメラモジュールと、該カメラモジュールを組み込むための一端が開放された中空部を有する枡状のコネクタであって、該コネクタは前記中空部の内面に前記基板側の接触子と電気接触する接触子を設け、更に、該コネクタにはバネフックが設けられ、該バネフックにて該コネクタに組み込まれたカメラモジュールの前記基板を押圧して係止するように構成されて成るカメラモジュール用コネクタロック装置において、前記カメラモジュール本体の対向する一対の側面コーナー部近傍に該カメラモジュール本体の下面から上面に至るまで、連続して形成した切欠部が設けられており、一方、前記コネクタ本体のコーナー部近傍には前記カメラモジュール側に設けた切欠部と対応して、コネクタの外周面を被覆しているシールドケースから延設されたバネフックが該コネクタ本体の上端部から前記中空部下方へ向かって斜設されており、該バネフックはカメラモジュールがコネクタに組み込まれるとき、前記基板のコーナー部を延設して設けられた係合部に当接し、弾性変形して外側に逃がされ、更に、該カメラモジュールを押し込むことにより、該バネフックが前記係合部上面に自己復帰して係合するように構成され、更に、前記コネクタの一側上面に係合凹部を設け、該該係合凹部に嵌合してカメラモジュールをコネクタに位置決めして固定するための位置決め用突部を該カメラモジュール側に設けたカメラモジュール用コネクタロック装置を提供することにより実現した。
【実施例】
【００１６】
以下、本発明の好適な実施例を図１乃至図３に従って説明する。
【００１７】
図１及び図２は本発明の一実施の形態であるカメラモジュール用コネクタロック装置を示し、図１は概略縦正面断面図、図２は分解斜視図である。図１及び図２において、このモジュール装置１０は、モジュール１１と、該モジュール１１を機器に取り付けるコネクタ１２とで構成されている。
【００１８】
前記モジュール１１は、携帯電話等に実装するカメラモジュールである。該モジュール１１は、概略四角形のブロック状に形成されているモジュール本体１３と、該モジュール本体１３の上部に設けられたレンズ部１４とで構成されている。又、モジュール本体１３の相対向している一対の側面１３ａ，１３ｂの左右のコーナ部近傍には、該モジュール本体１３の下面から上面までを連続して切り欠いて成る切欠部２０，２０…が設けられている。
【００１９】
更に、モジュール本体１３の底面には、基板１５が接着剤１６で取り付けられ、該基板１５の４側面に端子部となる複数の接触パッド２１，２１…（図２参照）がそれぞれ鉛直方向に形成されている。又、基板１５のコーナ部近傍はモジュール本体１３の切欠部２０，２０…の下側まで延出されており、この延出された部分で該切欠部２０，２０…の底面を形成した構造を成し、その切欠部２０，２０…の底面となる基板１５の上面部分を後述するバネフック１８，１８…と係合する係合部１７，１７…として使用する構造になっている。
【００２０】
前記コネクタ１２は、モジュール１１を組み込むための一端が開放された桝状をした中空部１９を有する樹脂製のコネクタ本体２２を備えている。又、コネクタ本体２２の底部２２ａは４側辺近傍が切り欠かれて開口２３，２３…が形成され、該中空部１９の内側面には鉛直方向に平行に接触子片となる複数のコンタクトピン２４，２４…（図２参照）が配設されている。
【００２１】
更に、中空部１９の相対向している側面１９ａ，１９ｂの左右のコーナ部近傍には、モジュール１１側の基板１５の係合部１７，１７…と対応して前記バネフック１８，１８…が設けられている。そして、該バネフック１８，１８…は、コネクタ本体２２の外周面を覆って該コネクタ本体２２に取り付けられているシールドケース２７から中空部１９内に延ばされており、中空部１９内に延ばされた自由先端側はコネクタ本体２２の底部２２ａに近づくに従って徐々に中空部１９の中心に近づくようにして傾斜し、中心側に向かって突出されている。尚、そのバネフック１８，１８…の各自由先端１８ａ，１８ａ…は、中空部１９内にモジュール１１が所定の位置まで挿入されると、係合部１７，１７…、すなわち基板１５の上面に係合されて、モジュール１１を抜け止めできるように成っている。      
【００２２】
又、コネクタ本体２２の一側面１８ａには、端面に係合凹部２５が設けられている。一方、コネクタ本体２２の一側面１８ａと対応しているモジュール本体１３の一側面１３ａには、係合凹部２５と位置決め状態で係合可能な位置決め突部２６が形成されている。そして、該位置決め突部２６は、モジュール１１がコネクタ１２の中空部１９内に一端開口より落とし込まれるとき、その組み込み動作に連動して係合凹部２５内に係合され、モジュール１１がコネクタ本体２２に対して水平方向に移動するのを規制するようにして設けられている。
【００２３】
図３は、このように構成されたカメラモジュール用コネクタロック装置１０において、モジュール１１をコネクタ１２に組み込む手順の一例を模式的に示す図である。図３を用いてモジュール１１をコネクタ１２に組み込む手順を次に説明する。まず、図３の（ｂ）に示すように、モジュール１１の位置決め突部２６とコネクタ１２の係合凹部２５とを対応させて、コネクタ１２の上側から中空部１９内にモジュール１１を落とし込むようにして組み込む。その組み込み途中では、基板１５の下面がバネフック１８に当接する。
【００２４】
しかしながら、そのままモジュール１１を押し込んで行くと、バネフック１８は弾性変形されて外側に逃がされ、モジュール１１の押し込みを許容する。又、基板１５の下面が中空部１９内の底部２２ａに当接し、接触パッド２１，２１…とコンタクトピン２４，２４…とが当接された状態になる所定位置までモジュール１１が中空部１９内に組み込まれると、バネフック１８が自身の弾性力で係合部１７上に自己復帰され、バネフック１８の先端１８ａが係合部１７上、すなわち基板１５の上面に直に係合される。この係合により、モジュール１１の抜け止めが行われ、モジュール１１がコネクタ１２にロックされ、組み込みが完了する。又、この組み込み完了状態では、モジュール１１の位置決め突部２６とコネクタ１２の係合凹部２５との係合も完了する。図３（ａ）は、この組み込みが完了したロック状態を示す。
【００２５】
又、組み込みが一度完了した状態において、コネクタ１２からモジュール１１を取り外す場合は、係合凹部２５の上方から例えばピンを挿入し、バネフック１８を係合部１７上の外側に逃がした状態で、モジュール１１を上側に引き抜くと、簡単に取り外すことができる。
【００２６】
従って、このように構成されたカメラモジュール用コネクタロック装置は、基板１５上をバネフック１８が直に押さえ、この押さえにより該基板１５をコネクタ１２に対して位置決めするので、モジュール本体１３と基板１５との間に製造誤差があっても、その製造誤差は無視され、コネクタ１２の所定の位置に基板１５が位置決めされる。この結果、モジュール１１のコネクタ１２に対する接触位置のバラツキを無くし、製品精度の安定化を図ることができる。又、モジュール本体１３と基板１５との間の寸法誤差も厳しく要求されることがないので、製造も簡単になる。
【００２７】
尚、本発明は、本発明の精神を逸脱しない限り種々の改変を為すことができ、そして、本発明が該改変されたものに及ぶことは当然である。
【図面の簡単な説明】
【００２８】
【図１】本発明の一実施の形態を示し、カメラモジュール装置の正面縦断面図。
【図２】同上実施形態に係るカメラモジュール装置の分解斜視図。
【図３】同上実施形態に係るカメラモジュール装置の組み込み手順の一例を説明する図  で、（ａ）はコネクタにモジュールを組み込んだ後の状態を示す正面縦断面図、（ｂ）  はコネクタにモジュールを組み込む前の状態を示す正面縦断面図。
【図４】従来のモジュール装置の正面縦断面図。
【図５】従来のモジュール装置の組み込み手順の一例を説明する図で、コネクタにモジ  ュールを組み込む前の状態を示す正面縦断面図。
【符号の説明】
【００２９】
１０        カメラモジュール用コネクタロック装置
１１        カメラモジュール
１２        コネクタ
１３        モジュール本体
１４        レンズ部
１５        基板
１６        接着剤
１７        係合部
１８        バネフック
１８ａ      先端
１９        中空部
２０        切欠部
２１        接触パッド
２２        コネクタ本体
２２ａ      底部
２３        開口
２４        コンタクトピン
２５        係合凹部
２６        位置決め突部
【図１】
0003979408.tif 000002
【図２】
0003979408.tif 000003
【図３】
0003979408.tif 000004
【図４】
0003979408.tif 000005
【図５】
0003979408.tif 000006